(57)【要約】【課題】自動注射デバイスを提供する。【解決手段】自動注射デバイスは、互いに分離可能な前方組立体（１０）および後方組立体（１２）を備えている。後方組立体は、前方組立体から延在する作動スリーブ（１４）の後方に向かう動きによってトリガされ、または係止解除される駆動組立体を備えている。ロックダイアル（１６）が付与されていて、ダイアルがロック解除位置に移動するまで、作動スリーブを後方に向かう動きに対してロックする。ダイアルは、作動部材（１４）が後方に向かって動き始めたらロック位置に自動的に戻るようになっていて、それにより、注射の完了後に作動部材（１４）が前方に向かって移動するとき、作動部材（１４）が自動注射デバイスの注射針を被覆するように閉塞する。代替的な実施形態において、ロックダイアルは作動部材（１４）と一体に形成されうる。【選択図】図１
2015061664.tif 000002
【特許請求の範囲】
【請求項１】
本体（１０，１２）と、
使用時に注射筒（２〜８）から投与分量を放出するよう起動される前記本体内の駆動機構部（８８，９０）と、
前記本体に関連付けられていて第１の位置から、前記駆動機構部が起動される第２の位置まで移動可能な作動部材（１４）と、
前記作動部材（１２）に関連付けられていてロック位置に在るときに前記作動部材が前記第２の位置に到達するのを防ぐ、ロック部材（１６）とを備えており、前記ロック部材および前記作動部材は、前記作動部材が前記第１の位置に在るときにロック位置とロック解除位置との間において相対的に移動可能であり、
前記作動部材を前記第２の位置まで移動させた後において前記ロック部材を前記ロック解除位置まで移動させると、前記作動部材が前記第１の位置に戻るのに伴って、前記ロック部材が前記ロック位置まで戻る、自動注射デバイス。
【請求項２】
前記作動部材（１４）が前記第１の位置に向かって付勢される、請求項１に記載の自動注射デバイス。
【請求項３】
前記ロック部材（１６）が前記ロック位置に向かって付勢される、請求項１または２に記載の自動注射デバイス。
【請求項４】
前記作動部材（１４）が前記第１の位置と前記第２の位置との間において直線的に移動可能である、請求項１〜３のいずれか１項に記載の自動注射デバイス。
【請求項５】
前記作動部材（１４）が注射針被覆部を備えていて、注射が完了して前記作動部材が前記第１の位置に戻ることにより、前記注射筒の注射針（６）を前記注射針被覆部により被覆する、請求項１〜４のいずれか１項に記載の自動注射デバイス。
【請求項６】
前記ロック部材（１６）が前記ロック位置と前記ロック解除位置との間において角度方向に移動可能である、請求項１〜５のいずれか１項に記載の自動注射デバイス。
【請求項７】
前記ロック部材（１６）および前記ハウジング（１０，１２）が協働する当接面（６６，５０）を有しており、これら当接面（６６，５０）は、前記ロック部材が前記ロック解除位置に移動されるときに閉鎖された整列状態から離れて回転される、請求項６に記載の自動注射デバイス。
【請求項８】
前記ロック部材（１６）は、前記作動部材に対して角度方向に限定的に動けるとともに長手方向において前記作動部材に対して固定される、請求項６または７に記載の自動注射デバイス。
【請求項９】
前記作動部材（１４）および前記ロック部材（１６）のうちの一方には、前記ロック位置および前記ロック解除位置にそれぞれ対応する離間した窪み（６２，６４）が形成されており、前記作動部材（１４）および前記ロック部材（１６）のうちの他方は、前記作動部材が前記第１の位置に在るときに、前記ロック窪み（６２）から前記ロック解除窪み（６４）まで角度方向に移動可能な歯状要素（６０）を備えており、前記作動部材が前記第２の位置に向かって移動することにより、前記歯状要素を前記ロック解除窪み（６４）から軸線方向に後退させ、それに伴って前記歯状要素が前記ロック窪みと角度方向に嵌り合うように向かって移動する、請求項８に記載の自動注射デバイス。
【請求項１０】
前記駆動機構部が、駆動バネ（８８）と、前記ハウジング内を長手方向に移動可能な駆動部材（９０）と、該駆動部材を準備位置に係止する係止部（９２）とを備えており、前記作動部材が前記係止部を解放するように動作可能である、請求項１〜９のいずれか１項に記載の自動注射デバイス。
【請求項１１】
前記係止部（９２）が少なくとも１つの側部（９４）を有しており、該側部（９４）は、前記駆動バネの軸線に対して概ね平行に延在するとともに、前記作動部材（１４）の相補形状の傾斜面（２６）とそれぞれ協働するように形成された傾斜面（９６）を有していて、前記作動部材が前記第２の位置に向かって移動するのに従って前記係止部を解放する、請求項１０に記載の自動注射デバイス。
【請求項１２】
前記本体が互いに分離可能な前方部（１０）および後方部（１２）から形成されており、前記後方部が前記駆動機構部（８８，９０）の少なくとも主要部分を含んでおり、前記前方部が前記作動部材（１４）および前記ロック部材（１６）を支持する、請求項１〜１１のいずれか１項に記載の自動注射デバイス。
【請求項１３】
前記作動部材（１４）が前記本体の前方に向かって延在する、請求項１〜１２のいずれか１項に記載の自動注射デバイス。
【請求項１４】
前記作動部材（１４）が、該作動部材に関連付けられていて前記作動部材の有効長を調節する移動調節可能部（２０）を備える、請求項１〜１３のいずれか１項に記載の自動注射デバイス。
【請求項１５】
本体（１０，１２）と、
使用時に注射筒（２〜８）から投与分量を放出するよう起動される前記本体内の駆動機構部（８８，９０）と、
前記本体に関連付けられていて長手方向の第１の位置から、前記駆動機構部が起動される長手方向の第２の位置まで移動可能な作動部材（１４）と、
前記作動部材（１４）に関連付けられていて前記作動部材が前記第２の位置に到達するのを防ぐ、解放可能なロック手段（５０，６６）とを備えており、前記作動部材（１４）は、前記作動部材が前記第１の位置に在るときにロック位置とロック解除位置との間において調整可能であり、
前記作動部材を前記第２の位置まで移動させた後において前記作動部材を前記ロック解除位置まで調整すると、前記作動部材が前記第１の位置に戻るのとともに、前記作動部材が前記ロック位置に戻る、自動注射デバイス。
【請求項１６】
前記作動部材が長手方向の第１の位置に在るとき、前記作動部材がロック位置とロック解除位置との間において角度方向に移動可能である、請求項１５に記載の自動注射デバイス。
【請求項１７】
前記作動部材が長手方向の第１の位置に在るとき、前記作動部材がロック位置とロック解除位置との間において手動で移動可能である、請求項１５または１６に記載の自動注射デバイス。
【請求項１８】
前記ロック手段が前記作動部材と一体に成形されたロック要素（５０）を備え、該ロック要素（５０）は、前記本体（１０）の或る部位（１８）に形成されたロック要素（６６）とそれぞれ協働する、請求項１５〜１７のいずれか１項に記載の自動注射デバイス。
【請求項１９】
互いに分離可能な前方部（１０）および後方部（１２）を有する本体を具備する自動注射デバイスであって、前記後方部は係止部（９２）によって動作される駆動機構部（８８，９０）を備え、前記本体の前記前方部は前記本体の前方に向かって延在する作動部材（１４）を有しており、該作動部材（１４）は、後方に向かって前記本体内へと駆動されるとともに、注射箇所に付与されて押圧されるときに前記係止部を解放するように形成される、自動注射デバイス。
【請求項２０】
互いに分離可能な前方ハウジング部（１０）および後方ハウジング部（１２）を具備する自動注射デバイスであって、前記後方ハウジング部は、駆動エネルギ蓄積部（８８）と、駆動部材（９０）と、前方に向かう動きを係止解除する準備位置において前記駆動部材を係止する係止配列体（９２）とを有する駆動機構部を備えており、前記前方ハウジング部は、該前方ハウジング部の前方に向かって延在する注射針被覆スリーブ部を有する作動部材（１４）を備えており、該作動部材は、前記駆動部材を係止解除するよう後方に移動可能であり、注射筒キャリア（３８）が、前記作動部材上または前記作動部材内に取り付けられていて前記作動部材に対して長手方向に移動する、自動注射デバイス。
【発明の詳細な説明】
【技術分野】
【０００１】
本発明は自動注射デバイスに関し、限定されないが、特に再利用可能な自動注射デバイスに関する。
【背景技術】
【０００２】
再利用可能な自動注射デバイスに対する需要が増している。かかる注射デバイスにおいて、使用済みの注射筒を新しいものに交換できるようにするためには、通常、何らかの形態の部分的な分解が要求されるため、注射器を再び組み立てて駆動機構部を再準備するときに、信頼できるセーフティロックなどが形成されていることを保証し、注射デバイスを安全に保つとともにセーフティロックが解放された後のみにおいて注射デバイスが起動されうるようにすることを保証する、何らかの形態の安全対策を保証することが特に重要である。
【発明の概要】
【課題を解決するための手段】
【０００３】
したがって、本発明は、その一態様において、
本体と、
使用時に注射筒から投与分量を放出するよう起動される前記本体内の駆動機構部と、
前記本体に関連付けられていて第１の位置から、前記駆動機構部が起動される第２の位置まで移動可能な作動部材と、
前記作動部材に関連付けられていて前記作動部材が前記第２の位置に到達するのを防ぐロック部材とを備えており、前記ロック部材および前記作動部材は、前記作動部材が前記第１の位置に在るときにロック位置とロック解除位置との間において相対的に移動可能であり、
前記作動部材を前記第２の位置まで移動させた後において前記ロック部材を前記ロック解除位置まで移動させると、前記作動部材が前記第１の位置に戻るのに伴って、前記ロック部材が前記ロック位置まで戻る、自動注射デバイスを提供する。
【０００４】
したがって、好適な実施形態において、作動部材が第１の位置、すなわち停止位置に戻るときに、ロック部材はロック位置にリセットされる。
ロック部材は、作動部材および本体に対して移動可能に取り付けられた別離の構成要素であってもよく、或いは本体に関連付けられ、あるいは本体と一体の部品を形成してもよい。
【０００５】
好ましくは、作動部材が第１の位置に向かって付勢され、ロック部材は、便宜上ロック位置に向かって付勢されうる。したがって、好適な配列体において、ロック部材はロック解除位置に移動され、作動部材は駆動機構部を起動するために付勢作用に抗して移動される。作動部材にかかる荷重を解放することにより、作動部材が第１の位置に戻り、そうするとロック部材にかかる付勢力によりロック部材がロック位置に戻る。
【０００６】
他の配列であってもよいが、作動部材が第１の位置と第２の位置との間において直線的に移動可能であるのが好ましい。
好ましくは、作動部材が注射針被覆部を備えていて、注射が完了して作動部材が第１の位置に戻ることにより、注射筒の注射針を前記注射針被覆部により被覆する。この態様において、作動部材は、駆動機構部を起動するためと、注射針を被覆するためとの両方の二元的な目的に供する。さらに、説明する実施形態において、作動部材が第１の位置に戻るのに従ってロック部材がロック位置に戻るので、この配列体は被覆部を効果的に閉塞（ｌｏｃｋｏｕｔ）する。
【０００７】
他の配列であってもよいが、ロック部材はロック位置とロック解除位置との間において角度方向に移動可能であるのが好ましい。
作動部材が第２の位置に到達するのを防げるようにするためのロック部材は、多数の異なる配列を採りうるが、特に好適な配列体において、ロック部材が作動部材に対して角度方向に限定的に動けるとともに長手方向において作動部材に対して固定されており、ロック部材およびハウジングが協働する当接面を有し、これら当接面は、ロック部材がロック解除位置に移動するときに閉鎖された整列状態から離れて回転される。
【０００８】
好適な実施形態において、作動部材およびロック部材のうちの一方には、ロック位置およびロック解除位置にそれぞれ対応する離間した窪みが形成されており、作動部材およびロック部材のうちの他方は、作動部材が第１の位置に在るときに、ロック窪みからロック解除窪みまで単一の角度方向に移動可能な歯状要素を備えており、作動部材が第２の位置に向かって移動することにより、歯状要素をロック解除窪みから軸線方向に後退させ、それに伴って歯状要素がロック窪みと角度方向に嵌り合うように戻れるようになる。
【０００９】
駆動機構部は多数の形態を採れるが、好適な実施形態において、駆動バネと、ハウジング内を長手方向に移動可能な駆動部材と、該駆動部材を準備位置に係止する係止部とを備えており、作動部材が係止部を解放するように動作可能である。
好ましくは、係止部が少なくとも１つの側部を備えており、該側部は、駆動バネの軸線に対して概ね平行に延在するとともに、作動部材の互いに相補形状の傾斜面と協働するように形成された傾斜面を有していて、作動部材が第２の位置に向かって移動するときに前記係止部を解放する。対称な荷重を付与するために、係止部は２つの側部を備えていて、２つの傾斜面が作動部材にそれぞれ形成されるのが好ましい。
【００１０】
本体は、便宜上互いに分離可能な前方部および後方部から形成されており、後方部が駆動機構部の少なくとも主要部分を含んでおり、前方部が作動部材およびロック部材を支持する。好ましくは、作動部材は本体の前方に向かって延在していて、注射針を概ね包囲するとともに使用時に注射箇所に接触する。作動部材は、該作動部材に関連付けられていて作動部材の有効長、ひいては使用時における注射筒の注射針の貫通深さを調節する移動調節可能部を備えてもよい。
【００１１】
別の態様において、本発明は、互いに分離可能な前方部および後方部を有する本体を具備する自動注射デバイスであって、後方部は係止部によって動作される駆動機構部を備え、前記本体の前方部は本体の前方に向かって延在する作動部材を有しており、該作動部材は、後方に向かって本体内へと駆動されるとともに、注射箇所に付与されて押圧されるときに係止部を解放するように形成される、自動注射デバイスを提供する。
【００１２】
別の態様において、本発明は、互いに分離可能な前方ハウジング部および後方ハウジング部を具備する自動注射デバイスであって、後方ハウジング部は、駆動エネルギ蓄積部と、駆動部材と、前方に向かう動きを係止解除する準備位置において該駆動部材を係止する係止配列体とを有する駆動機構部を備えており、前方ハウジング部は、該前方ハウジング部の前方に向かって延在する注射針被覆スリーブ部を有する作動部材を備えており、該作動部材は、駆動部材を係止解除するよう後方に移動可能であり、注射筒キャリアが、作動部材上または作動部材内に取り付けられていて作動部材に対して長手方向に移動する、自動注射デバイスを提供する。
【００１３】
以上、本発明について述べたが、本発明は、前掲の特徴または後述する詳細な説明若しくは特許請求の範囲に係る特徴の任意の発明的組合せに及ぶ。
【図面の簡単な説明】
【００１４】
【図１】本発明に係る自動注射器の概略斜視図である。
【図２（ａ）】停止位置における図１の自動注射器の側面図である。
【図２（ｂ）】停止位置における図１の自動注射器の縦断面図である。
【図３】明確化のために外方ケースを取り外した状態の停止位置における自動注射器の斜視図である。
【図４（ａ）】準備動作を説明する側面図である。
【図４（ｂ）】準備動作を説明する縦断面図である。
【図５（ａ）】予め充填された注射筒が装填されて準備された自動注射器の側面図である。
【図５（ｂ）】予め充填された注射筒が装填されて準備された自動注射器の縦断面図である。
【図６（ａ）】ロックが解除されて注射準備が整った状態の自動注射器の縦断面図である。
【図６（ｂ）】ロックが解除されて注射準備が整った状態の自動注射器の横断面図である。
【図６（ｃ）】ロックが解除されて注射準備が整った状態の自動注射器の側面図である。
【００１５】
【図７（ａ）】ロック位置におけるロック機構部の詳細図である。
【図７（ｂ）】ロック解除位置におけるロック機構部の詳細図である。
【図７（ｃ）】リセット位置におけるロック機構部の詳細図である。
【図８（ａ）】注射器の駆動を示す側面図である。
【図８（ｂ）】注射器の駆動を示す縦断面図である。
【図９】明確化のために外方ケースを取り外した状態の駆動段階における自動注射器を示す図である。
【図１０（ａ）】注射は完了したものの注射デバイスが皮膚に対してなお押圧されているときの側面図である。
【図１０（ｂ）】注射は完了したものの注射デバイスが皮膚に対してなお押圧されているときの縦断面図である。
【図１１（ａ）】注射箇所から後退した後の自動注射器の側面図である。
【図１１（ｂ）】注射箇所から後退した後の自動注射器の縦断面図である。
【図１２】前方組立体の分解図である。
【図１３】後方組立体の分解図である。
【図１４】代替的な実施形態におけるスリーブ１４の後端を示す詳細図である。
【発明を実施するための形態】
【００１６】
まず図１を参照すると、図示される実施形態の自動注射器は、それぞれ分離可能な前方組立体１０と後方組立体１２とを備えている。前方組立体１０および後方組立体１２は、後述する説明から明らかなように差込み式の嵌合いにより接続されていて、薬剤を含む注射筒の容易な挿入動作および後退動作を可能にしている。後方組立体は、より詳しく後述する駆動機構部を備えており、前方組立体は、長手方向に移動可能なスリーブ１４と、図１において視認できる前方部と、回転式ロックダイアル１６とを備えている。
【００１７】
より詳細に図２、図３、図１２および図１３を参照すると、前方組立体１０は前方ケース１８を備えていて、ダイアル１６の前方部とスリーブ１４とがこの前方ケース１８を通って突出している。深さ調節部２０がスリーブの前端においてネジ式に受容されており、この深さ調節部２０には、スリーブにおける窓部２２を通して視認可能な貫通深さ表示部（ｐｅｎｅｔｒａｔｉｏｎ  ｄｅｐｔｈ  ｉｎｄｉｃｉａ）が付いている。スリーブの後端は、傾斜面２６をそれぞれ有していて後方に延在する１対のプロング（ｐｒｏｎｇ）２４を有している。プロング２４は、襟部３０に形成されたスロット２８を後方に貫通しており、この襟部は、前方ケースにおいて直径方向両側に位置するピップ（ｐｉｐ）３２が前方ケース１８に形成された直径方向両側に位置する窪み３４に収容されることによって固定される。スリーブ１４は、襟部３０とスリーブ１４との間において作用するバネ３６によって前方に付勢されている。注射筒キャリア３８はスリーブ１４の前方端内において摺動可能に受容されるとともにキャリア用バネ４０によって後方に付勢されている。スリーブ１４内における注射筒キャリア３８の軸線方向の動きは、注射筒キャリア３８に形成されたスロット４４内に延びる２つの内方に向いたラグ４２によって制限される。注射筒キャリア３８の外方に湾曲する後方端４６は、襟部３０の円柱状の前方延伸部に位置していて内方に対面するリブ４８と協働する。
【００１８】
図３から分かるように、ロックダイアルは、直径方向両側に位置していてロックダイアル１６の外表面から半径方向に直立する２つの一部円柱状の後方延伸部５０を有している。この後方延伸部５０のすぐ前方には２つのバネ弾性を呈する舌部５８が形成されており、各舌部５８は、前方から見て時計回りの自由端において外方に向いた歯部６０を有している。ねじりバネ５２はスリーブ１４とダイアル１６との間において作用し、前方から見て反時計回りの方向にダイアルを付勢している。組立体が停止位置に在るとき、歯部６０は前方カバー１８の内部に位置する対応する「ロック」窪み６２において受容されるが、舌部が弾性を呈することは、ねじりバネ５２の付勢作用に抗してダイアルを回転させることによって、歯部６０が各「ロック解除」窪み６４にクリック音を伴って嵌められうることを意味する。特に図１２を参照すると、前方ケース１８の内壁は、直径方向両側に直立する２つのウェブ６６を有していて、これらウェブ６６はダイアル１６の延伸部５０と協働して、ダイアルがロック解除位置に在る（歯部６０が「ロック解除」窪み６４に在る）か、またはロック位置に在る（歯部６０が「ロック」窪み６２に在る）かに応じて、前方ケース１８内部におけるダイアル１６の後方への動きを選択的に可能または不能にする。前方ケースは、ダイアルがロックされているか、またはロック解除されているかを示すダイアル１６の表示部７０と協働するポインタ６８を有している。ダイアル１６はスリーブ１４の前端において回転可能であるが、ダイアル１６が外方に向いたバネ弾性を呈する歯部７２によってスリーブの前端にクリップ留めされているので、ダイアル１６とスリーブ１４とは長手方向に一体となって移動する。
【００１９】
ダイアル１６およびスリーブ１４はバネ３６により前方に付勢されていて、それにより、歯部６０が停止時において前方に向かって付勢され、「ロック」窪み６２に係合するようになる。しかしながら、歯部が窪み６４に在って注射デバイスがロック解除されているときは、注射デバイスが皮膚に対して押圧される際のスリーブおよびダイアルの後方に向かう動きによって歯部６０を「ロック解除」窪み６４から軸線方向に移動させて、それにより、ダイアルがねじりバネ５２の作用を受けて部分的に逆回転して、歯部６０が「ロック」窪み６２と軸線方向において整列されるもののウェブ６６によって正確に整列されずに保持される位置に向かうようになる。
【００２０】
ここで後方ハウジング組立体１２について、特に図３および図１３を参照すると、後方組立体１２は外方ケーシングを備えており、この外方ケーシングは、ケース頂部８２がケース底部８０にスナップ留めされることにより形成される。ケース底部８０の前方端には差込み式取付部８４が形成されていて、この差込み式取付部８４は、前方組立体１０の一部を構成する襟部３０の内部に形成された相補形状の取付部８６と協働する。中空の筒状ピストン９０内部に取り付けられる主駆動バネ８８がケーシング内に配置される。サドル形態の係止部（ｌａｔｃｈ）９２は前方に向かって延在するアーム９４を有しており、これらアーム９４は、前方組立体１０におけるスリーブ１４のアーム２４の傾斜面２６と協働するように形成された傾斜面９６を有している。アーム９４の後方延伸部には回動ラグ９８が形成されており、これら回動ラグ９８はケース底部の座部１００に受容されて、係止部９２の回動を可能にする。板バネ１００が係止部９２の中央部の前方に向かって延在していて、ケース頂部８２に作用して係止部９２を係止位置に向けて下方に付勢する。係止当接部１０２は板バネの後方に向いていて係止部の下面に位置している。ピストン９０は、その前端に係止面１０４を有しており、この係止面１０４は係止当接部１０２と協働して、ピストンを準備位置において係止する。また、ピストン９０は、ケース底部８０のガイド溝１０８に延びる側方スタブガイド（ｓｔｕｂ  ｇｕｉｄｅ）１０６を有していて、ピストンを案内するとともにピストンの回転を防いでいる。このピストンは、特有の色、例えば赤色のプラスチック材料から形成されており、ケース頂部８２は注射完了窓部１１０を有しており、ピストンが注射完了を示す前方位置に在るときに、この注射完了窓部１１０を通じてピストンを視認できるようになっている。
【００２１】
ここで、注射デバイスの操作について述べる。注射デバイスが図２（ａ）および図２（ｂ）に示される停止位置に在ると想定すると、まず後方組立体１２を前方組立体１０から分離させるとともに、深さ調節部の端部に位置する注射針キャップ除去部２１がピストン９０に対面するよう逆向きにする。前方組立体および後方組立体をともに押して、それによりピストンがピストンの係止面１０４と係合する係止当接部１０２により係止されるまで、ピストン９０が、注射針キャップ除去部によって主駆動バネ８８の付勢作用に抗して押されるようになる（図４（ａ）および図４（ｂ）参照）。筒体２、プランジャ４、注射針６および注射針キャップ８を備えた注射筒は、注射筒を注射筒キャリア３８に挿入して、注射針キャップが注射針キャップ除去部２１の後端に位置する歯部２３を通過するまで押すことによって前方組立体１０に装填される（図５（ｂ）参照）。次いで差込み式連結部８４，８６を接続することによって、前方組立体１０および後方組立体１２を一体に組み立てる。
【００２２】
次いでねじりバネ５２の付勢作用に抗してロックダイアル１６を図６（ｃ）の矢印Ｘの方向に回転させることにより注射デバイスをロック解除する。この動作により、前方ハウジング１８の内部に位置するウェブ６６との軸線方向の整列状態から離れて回転式ダイアル１６の延伸部５０が回転する（図７（ａ）および図７（ｂ）参照）。これと同時に、ロックダイアル１６の歯部６０はねじりバネ５２の付勢作用に抗して「ロック」窪み６２から「ロック解除」窪み６４まで移動する。
【００２３】
次いで、自動注射器は注射箇所まで供給されて押圧され、スリーブ１４および回転式ダイアル１６を後方に向けてハウジング内へ移動させる。この動きの始めの段階に際して、回転式ダイアル１６の歯部６０は「ロック解除」窪みから離れて軸線方向にシフトして、それにより、回転式ダイアル１６が、ねじりバネ５２の作用により「ロック」窪みと軸線方向に整列するように部分的に向かって自由に逆回転できるようになる（ただし、後方にシフトする）。スリーブ１４の角度方向の動きは、ウェブ６６に係合する延伸部５０により制約されている。続けて押圧することにより、スリーブ１４のプロング２４が係止部のアーム９４に係合するまで、スリーブ１４およびダイアル１６をハウジング内にさらに駆動して、各傾斜面２６，９６が協働して係止部９２をバネ付勢部１００に抗して回動させてピストン９０を解放させる（図９参照）。ピストンは前方に移動して注射筒のプランジャ４に係合する。まず、注射筒の筒体２内部の液状薬剤は固体として作用し、それにより、注射筒プランジャにかかる圧力が筒体２を前方に移動させ、注射針６をスリーブ１４から突出させて使用者の表皮を貫通させる。注射筒キャリアの外方に湾曲した端部４６が襟部３０に形成された内方に湾曲した縁部４８に係合するときに、注射筒および注射筒キャリア３８の前方に向かう動きが停止される。その後、ピストン９０は前方に移動を続けてプランジャ４を移動させ、投与分量を放出する（図１０（ｂ）参照）。この期間、スリーブ１４は比較的静止したままであり、その一方で注射筒キャリア３８は前方に移動してバネ４０を圧縮し、スリーブ１４内部のラグ４２が注射筒キャリア３８のスロット４４内を延びる。このとき、注射完了窓部１１０を通じてピストンを視認できる。
【００２４】
注射デバイスを皮膚から引き離すことによって、スリーブ１４がバネ３６，４４の作用を受けて前方に移動できるようになり、それにより、スリーブ１４および深さ調節部２０が注射筒の注射針６を被覆するようになる。スリーブがまさにその最も前方の位置に近づく際に、延伸部５０が前方ケース１８のウェブ６６の端部を外れて前方に向かって摺動し、そしてこれら延伸部がスリーブ１４のアーム２４に当接して、それにより延伸部５０がこのときにウェブ６６と閉鎖された整列状態になり、ダイアル１６が後退してロック位置に戻るとともに、歯部６０はロック窪み６２に在るようになる。したがって、スリーブ１４および深さ調節部２０は注射針を被覆するための引き込む動きに対してロックされており、ダイアル１６はロック位置に在る。
次いで、前方組立体および後方組立体は、次の工程の準備のために注射筒の後退動作が可能なように分離されうる。
【００２５】
前述した実施形態において、そのロック機能として３つの主要な構成要素、すなわち、前方カバー、ダイアルおよびスリーブが存在している。変形例（図示せず）において、ロック位置とロック解除位置との間において回転可能なダイアルとともに角度方向に固定された前方カバーおよびスリーブを有する代わりに、代替的な配列体においては、ダイアルが省略されていてその代わりに、ロックまたはロック解除するためにスリーブがバネ付勢部に抗して限定的に回転できるようになっていて、スリーブおよび本体に形成されたそれぞれのロック当接部と窪みとに対してリセットされる。それ以外はこの代替的な実施形態は前述したように概ね動作する。この変形例において、スリーブ１４には延伸部５０および歯部６０が形成されていて、スリーブは前方ハウジング内に回転可能に担持される。図３において、例えばスリーブ１４およびダイアル１６は互いに固定され、または一体成形されていてもよく、スリーブまたはダイアルは前方ハウジングに対して回転可能である。当然ながらこの配列体において、ピストンを係止解除するためにスリーブが後方に向かう動きを利用するように適切に変更された構成が付与される。一配列体において、スリーブ１４の後部から延在するプロング２４が適切な配列体によってスリーブに回転可能に取り付けられてもよく、この配列体は、スリーブ１４がロック位置とロック解除位置との間において回転されるとき、プロング２４がスリーブとともに長手方向に移動するが、ハウジングに対して角度方向には固定されたままであることを保証する。例えば、図１４に示すようにスリーブの後部に回転可能に支持された円柱状のシェル２４ｂにプロング２４ａが形成されうる。
【図１】
2015061664.tif 000003
【図２（ａ）】
2015061664.tif 000004
【図２（ｂ）】
2015061664.tif 000005
【図３】
2015061664.tif 000006
【図４（ａ）】
2015061664.tif 000007
【図４（ｂ）】
2015061664.tif 000008
【図５（ａ）】
2015061664.tif 000009
【図５（ｂ）】
2015061664.tif 000010
【図６（ａ）】
2015061664.tif 000011
【図６（ｂ）】
2015061664.tif 000012
【図６（ｃ）】
2015061664.tif 000013
【図７（ａ）】
2015061664.tif 000014
【図７（ｂ）】
2015061664.tif 000015
【図７（ｃ）】
2015061664.tif 000016
【図８（ａ）】
2015061664.tif 000017
【図８（ｂ）】
2015061664.tif 000018
【図９】
2015061664.tif 000019
【図１０（ａ）】
2015061664.tif 000020
【図１０（ｂ）】
2015061664.tif 000021
【図１１（ａ）】
2015061664.tif 000022
【図１１（ｂ）】
2015061664.tif 000023
【図１２】
2015061664.tif 000024
【図１３】
2015061664.tif 000025
【図１４】
2015061664.tif 000026
【手続補正書】
【提出日】平成26年12月26日(2014.12.26)
【手続補正１】
【補正対象書類名】特許請求の範囲
【補正対象項目名】全文
【補正方法】変更
【補正の内容】
【特許請求の範囲】
【請求項１】
互いに分離可能な前方部（１０）および後方部（１２）を有する本体を具備する自動注射デバイスであって、前記後方部は係止部（９２）によって動作される駆動機構部（８８，９０）を備え、前記本体の前記前方部は前記本体の前方に向かって延在する作動部材（１４）を有しており、該作動部材（１４）は、後方に向かって前記本体内へと駆動されるとともに、注射箇所に付与されて押圧されるときに前記係止部を解放するように形成される、自動注射デバイス。
【請求項２】
互いに分離可能な前方ハウジング部（１０）および後方ハウジング部（１２）を具備する自動注射デバイスであって、前記後方ハウジング部は、駆動エネルギ蓄積部（８８）と、駆動部材（９０）と、前方に向かう動きを係止解除する準備位置において前記駆動部材を係止する係止配列体（９２）とを有する駆動機構部を備えており、前記前方ハウジング部は、該前方ハウジング部の前方に向かって延在する注射針被覆スリーブ部を有する作動部材（１４）を備えており、該作動部材は、前記駆動部材を係止解除するよう後方に移動可能であり、注射筒キャリア（３８）が、前記作動部材上または前記作動部材内に取り付けられていて前記作動部材に対して長手方向に移動する、自動注射デバイス。
【外国語明細書】
2015061664000001.pdf